(57)【要約】【課題】レンズの光軸方向における位置を調整するための構造を簡素化することができると共に、治具の調整によってレンズがどちらに移動するのかを分かり易くすることができる画像読取装置及び画像形成装置並びにレンズの位置調整方法を提供する。【解決手段】画像読取装置は、レンズと、レンズを支持する支持部材とを備えている。支持部材には、レンズを該レンズの光軸方向に移動可能に載置する載置部が設けられている。支持部材には、載置部の光軸方向における両端部においてレンズの光軸方向における位置を調整するための穴が設けられている。画像読取装置のレンズの光軸方向における位置を調整する位置調整方法は、治具を穴に挿通して回転させながらレンズの光軸方向における位置を調整する。【選択図】図８Ａ
2019110488.tif 000002
【特許請求の範囲】
【請求項１】
レンズと、前記レンズを支持する支持部材とを備えた画像読取装置であって、
前記支持部材には、前記レンズを該レンズの光軸方向に移動可能に載置する載置部が設けられ、かつ、前記載置部の前記光軸方向における両端部において前記レンズの前記光軸方向における位置を調整するための穴が設けられていることを特徴とする画像読取装置。
【請求項２】
請求項１に記載の画像読取装置であって、
前記載置部は、開口であることを特徴とする画像読取装置。
【請求項３】
請求項１又は請求項２に記載の画像読取装置であって、
前記穴は、前記載置部に連通していることを特徴とする画像読取装置。
【請求項４】
請求項１から請求項３までの何れか１つに記載の画像読取装置であって、
前記載置部の前記光軸方向における長さをＢ、前記レンズの前記光軸方向における長さをＣ、前記穴の前記光軸方向における距離をＥとすると、
Ｅ＞（Ｂ−Ｃ）／２  ・・・  式（１）
前記式（１）の関係を満たすことを特徴とする画像読取装置。
【請求項５】
請求項１から請求項４までの何れか１つに記載の画像読取装置であって、
前記穴は、半円形状であることを特徴とする画像読取装置。
【請求項６】
請求項１から請求項５までの何れか１つに記載の画像読取装置を備えたことを特徴とする画像形成装置。
【請求項７】
請求項１から請求項５までの何れか１つに記載の画像読取装置の前記レンズの前記光軸方向における位置を調整する位置調整方法であって、
治具を前記穴に挿通して回転させながら前記レンズの前記光軸方向における位置を調整することを特徴とするレンズの位置調整方法。
【請求項８】
請求項７に記載のレンズの位置調整方法であって、
前記治具及び前記穴は、前記治具が最大調整位置に位置するときでも前記レンズが前記載置部の前記光軸方向における該治具とは反対側に端部に当接しない構成とされていることを特徴とするレンズの位置調整方法。
【請求項９】
請求項８に記載のレンズの位置調整方法であって、
前記載置部の前記光軸方向における長さをＢ、前記レンズの前記光軸方向における長さをＣ、前記治具による前記レンズの前記光軸方向における移動量をＦとすると、
Ｆ＜（Ｂ−Ｃ）／２  ・・・  式（２）
前記式（２）の関係を満たすことを特徴とするレンズの位置調整方法。
【請求項１０】
請求項７から請求項９までの何れか１つに記載のレンズの位置調整方法であって、
前記治具は、治具本体と、前記治具本体に設けられて前記レンズと当接する当接部と、前記当接部に設けられて前記穴に挿通される挿通部とを備えていることを特徴とするレンズの位置調整方法。
【請求項１１】
請求項１０に記載のレンズの位置調整方法であって、
前記治具は、前記治具本体に対して前記挿通部が偏芯していることを特徴とするレンズの位置調整方法。
【請求項１２】
請求項１０又は請求項１１に記載のレンズの位置調整方法であって、
前記治具及び前記穴は、前記レンズを前記載置部の前記光軸方向における中央に位置させたときに、前記挿通部を前記穴に挿通して前記当接部を前記レンズに当接させた状態で前記治具が最小調整位置に位置する構成とされていることを特徴とするレンズの位置調整方法。
【請求項１３】
請求項７から請求項１２までの何れか１つに記載のレンズの位置調整方法であって、
前記画像読取装置は、前記レンズ及び前記支持部材が設けられる筐体をさらに備え、
前記筐体の外側から前記レンズの前記光軸方向における位置を調整することを特徴とするレンズの位置調整方法。
【発明の詳細な説明】
【技術分野】
【０００１】
本発明は、画像読取装置、及び、複写機、複合機、ファクシミリ装置等の画像形成装置並びにレンズの位置調整方法に関する。
【背景技術】
【０００２】
画像読取装置では、レンズを支持する支持部材に対してレンズの光軸方向における位置が適正な位置になるように調整される（例えば特許文献１参照）。かかる調整は、通常、工場出荷時に作業者によりなされる。或いは、市場にてサービスマンによりなされることもある。
【０００３】
詳しくは、特許文献１に記載のレンズの位置調整では、レンズの鏡筒に調整用の溝を周方向に設けている。治具として偏芯ピンを有する調整棒を調整棒穴に挿通すると共に、偏芯ピンを鏡筒における調整用の溝に挿通する。そして、調整棒を回転させることで、レンズの光軸方向における位置を調整する。
【先行技術文献】
【特許文献】
【０００４】
【特許文献１】特開２０１１−１６９９６４号公報
【発明の概要】
【発明が解決しようとする課題】
【０００５】
しかしながら、特許文献１に記載のレンズの位置調整では、レンズの鏡筒に調整用の溝を設けるので、レンズの光軸方向における位置を調整するための構造が複雑となり、それだけコストが高くつく。また、治具の調整によってレンズがどちらに移動するのが分かり難い。
【０００６】
そこで、本発明は、レンズの光軸方向における位置を調整するための構造を簡素化することができると共に、治具の調整によってレンズがどちらに移動するのかを分かり易くすることができる画像読取装置及び画像形成装置並びにレンズの位置調整方法を提供することを目的とする。
【課題を解決するための手段】
【０００７】
本発明は、前記課題を解決するために、次の画像読取装置及び画像形成装置並びにレンズの位置調整方法を提供する。
【０００８】
（１）画像読取装置
本発明に係る画像読取装置は、レンズと、前記レンズを支持する支持部材とを備えた画像読取装置であって、前記支持部材には、前記レンズを該レンズの光軸方向に移動可能に載置する載置部が設けられ、かつ、前記載置部の前記光軸方向における両端部において前記レンズの前記光軸方向における位置を調整するための穴が設けられていることを特徴とする。
【０００９】
（２）画像形成装置
本発明に係る画像形成装置は、前記本発明に係る画像読取装置を備えたことを特徴とする。
【００１０】
（３）レンズの位置調整方法
本発明に係るレンズの位置調整方法は、前記本発明に係る画像読取装置の前記レンズの前記光軸方向における位置を調整する位置調整方法であって、治具を前記穴に挿通して回転させながら前記レンズの前記光軸方向における位置を調整することを特徴とする。
【発明の効果】
【００１１】
本発明によると、レンズの光軸方向における位置を調整するための構造を簡素化することができると共に、治具の調整によってレンズがどちらに移動するのかを分かり易くすることが可能となる。
【図面の簡単な説明】
【００１２】
【図１】本実施の形態に係る画像読取装置を備えた画像形成装置を正面から視た概略断面図である。
【図２】画像読取装置に備えられる走査体を正面から視た概略断面図である。
【図３】走査体を斜め下方から視た斜視図である。
【図４】支持部材に設けられた集光レンズ及び縮小型イメージセンサを斜め上方から視た斜視図である。
【図５】支持部材に設けられた集光レンズ及び縮小型イメージセンサを示す平面図である。
【図６】支持部材に設けられた集光レンズを示す底面図である。
【図７】治具の一例を示す斜視図である。
【図８Ａ】図７に示す治具による集光レンズの光軸方向における位置が最小調整位置にある調整状態を示す底面図である。
【図８Ｂ】図７に示す治具による集光レンズの光軸方向における位置が最小調整位置と最大調整位置との間の位置にある調整状態を示す底面図である。
【図８Ｃ】図７に示す治具による集光レンズの光軸方向における位置が最大調整位置にある調整状態を示す底面図である。
【図９】治具の他の例を示す斜視図である。
【図１０Ａ】図９に示す治具による集光レンズの光軸方向における位置が最小調整位置にある調整状態を示す底面図である。
【図１０Ｂ】図９に示す治具による集光レンズの光軸方向における位置が最小調整位置と最大調整位置との間の位置にある調整状態を示す底面図である。
【図１０Ｃ】図９に示す治具による集光レンズの光軸方向における位置が最大調整位置にある調整状態を示す底面図である。
【図１１】治具のさらに他の例を示す斜視図である。
【図１２Ａ】図１１に示す治具による集光レンズの光軸方向における位置が最小調整位置にある調整状態を示す底面図である。
【図１２Ｂ】図１１に示す治具による集光レンズの光軸方向における位置が最小調整位置と最大調整位置との間の位置にある調整状態を示す底面図である。
【図１２Ｃ】図１１に示す治具による集光レンズの光軸方向における位置が最大調整位置にある調整状態を示す底面図である。
【発明を実施するための形態】
【００１３】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１４】
［画像形成装置］
図１は、本実施の形態に係る画像読取装置２００を備えた画像形成装置１００を正面から視た概略断面図である。図において、符号Ｘは主走査方向を表している。符号Ｙは主走査方向Ｘに直交する副走査方向、符号Ｙ１は原稿Ｇの画像読取方向を表している。符号Ｚは上下方向、鉛直方向を表している。本実施の形態に係る画像形成装置１００は、モノクロ画像形成装置である。画像形成装置１００は、画像読取装置２００により読み取られた画像データ、又は、外部から伝達された画像データに応じて、画像形成処理を行う。なお、画像形成装置１００は、用紙Ｐに対して多色及び単色の画像を形成するカラー画像形成装置であってもよい。
【００１５】
画像形成装置１００は、原稿送り装置１０８と、画像形成装置本体１１０とを備えている。画像形成装置本体１１０には、画像形成部１０２と用紙搬送系１０３とが設けられている。
【００１６】
画像形成部１０２は、露光ユニット１、現像ユニット２、静電潜像担持体として作用する感光体ドラム３、クリーニング部４、帯電装置５及び定着ユニット７を備えている。また、用紙搬送系１０３は、給紙トレイ８１、手差し給紙トレイ８２、排出ローラ３１及び排出トレイ１４を備えている。
【００１７】
画像形成装置本体１１０の上部には、原稿Ｇの画像を読み取るための画像読取装置２００が設けられている。画像読取装置２００は、原稿Ｇが載置される原稿載置台２２１（具体的には原稿載置ガラス）と、原稿読取板２２２（具体的には原稿読取ガラス）とを備えている。また、原稿載置台２２１及び原稿読取板２２２の上側には原稿送り装置１０８が設けられている。画像形成装置１００では、画像読取装置２００で読み取られた原稿Ｇの画像は、画像データとして画像形成装置本体１１０に送られ、用紙Ｐ上に画像が記録される。
【００１８】
画像形成装置本体１１０には用紙搬送路Ｗ１が設けられている。給紙トレイ８１又は手差し給紙トレイ８２は、用紙Ｐを用紙搬送路Ｗ１に供給する。用紙搬送路Ｗ１は、用紙Ｐを転写ローラ１０及び定着ユニット７を経て排出トレイ１４に導く。定着ユニット７は、用紙Ｐ上に形成されたトナー像を用紙Ｐに加熱定着する。用紙搬送路Ｗ１の近傍には、ピックアップローラ１１ａ，１１ｂ、搬送ローラ１２ａ、レジストローラ１３、転写ローラ１０、定着ユニット７におけるヒートローラ７１及び加圧ローラ７２、排出ローラ３１が配設されている。
【００１９】
画像形成装置１００では、給紙トレイ８１又は手差し給紙トレイ８２にて供給された用紙Ｐはレジストローラ１３まで搬送される。次に、用紙Ｐはレジストローラ１３により用紙Ｐと感光体ドラム３上のトナー像とを整合するタイミングで転写ローラ１０に搬送される。感光体ドラム３上のトナーは転写ローラ１０により用紙Ｐ上に転写される。その後、用紙Ｐは定着ユニット７におけるヒートローラ７１及び加圧ローラ７２に通過し、搬送ローラ１２ａ及び排出ローラ３１を経て排出トレイ１４上に排出される。用紙Ｐの表面だけでなく、裏面に画像形成を行う場合は、用紙Ｐは排出ローラ３１から反転用紙搬送路Ｗ２へ逆方向に搬送される。用紙Ｐは反転搬送ローラ１２ｂ〜１２ｂを経て用紙Ｐの表裏を反転してレジストローラ１３へ再度導かれる。そして、用紙Ｐは、表面と同様にして、裏面にトナー像が形成されて定着された後、排出トレイ１４へ向けて排出される。
【００２０】
［画像読取装置］
画像読取装置２００は、走査体３００を備えている。画像読取装置２００は、走査体３００を原稿載置台２２１の下面に沿って副走査方向Ｙでの原稿Ｇの画像読取方向Ｙ１に移動させながら原稿載置台２２１上に載置された原稿Ｇを走査する。こうして、画像読取装置２００は、原稿載置台２２１上に載置された原稿Ｇの画像を縮小型イメージセンサ３４０で読み取る。また、画像読取装置２００は、走査体３００を原稿読取板２２２の下方の位置に停止させて、原稿送り装置１０８により搬送されて原稿読取板２２２上を通過する原稿Ｇを走査する。こうして、画像読取装置２００は、原稿送り装置１０８により搬送される原稿Ｇの画像を縮小型イメージセンサ３４０で読み取る。
【００２１】
走査体３００は、原稿載置台２２１及び原稿読取板２２２の下方において、画像読取装置２００の筐体２０１に対して副走査方向Ｙに沿って往復移動自在に設けられている。走査体３００は、図示しない駆動部により駆動される。
【００２２】
［走査体］
図２は、画像読取装置２００に備えられる走査体３００を正面から視た概略断面図である。走査体３００は、原稿Ｇを走査して原稿Ｇの画像を複数のミラー３２０及び集光レンズ３３０（レンズの一例）を介して縮小型イメージセンサ３４０で読み取る。走査体３００は、光源部３１０と、複数のミラー３２０と、集光レンズ３３０と、縮小型イメージセンサ３４０と、筐体３５０と、支持部材３６０（この例では支持板、具体的には板金）とを備えている。
【００２３】
光源部３１０は、原稿Ｇを照明する。光源部３１０は、光源３１１と、反射部材３１２とを備えている。光源３１１は、原稿Ｇに対向する。光源３１１は、一対のものであり、副走査方向Ｙの異なる位置に設けられている。反射部材３１２は、光源３１１からの光を反射して原稿Ｇに照射する。反射部材３１２は、筐体３５０の上面に設けられている。光源３１１は、反射部材３１２上に設けられている。
【００２４】
複数のミラー３２０は、この例では、第１ミラー３２１から第５ミラー３２５からなっている。第１ミラー３２１から第５ミラー３２５は、筐体３５０に設けられている。第１ミラー３２１は、原稿Ｇからの反射光Ｌを反射して第２ミラー３２２に導く。第２ミラー３２２は、第１ミラー３２１からの反射光Ｌを反射して第３ミラー３２３に導く。第３ミラー３２３は、第２ミラー３２２からの反射光Ｌを反射して第４ミラー３２４に導く。第４ミラー３２４は、第３ミラー３２３からの反射光Ｌを反射して第５ミラー３２５に導く。第５ミラー３２５は、第４ミラー３２４からの反射光Ｌを反射して集光レンズ３３０に導く。
【００２５】
集光レンズ３３０は、第５ミラー３２５からの反射光Ｌを縮小型イメージセンサ３４０に集光する。縮小型イメージセンサ３４０は、集光レンズ３３０からの反射光を電気信号に変換する。縮小型イメージセンサ３４０としては、例えば、ＣＣＤやＣＭＯＳ等の撮像素子を含むものを挙げることができる。
【００２６】
図３は、走査体３００を斜め下方から視た斜視図である。図４は、支持部材３６０に設けられた集光レンズ３３０及び縮小型イメージセンサ３４０を斜め上方から視た斜視図である。図５は、支持部材３６０に設けられた集光レンズ３３０及び縮小型イメージセンサ３４０を示す平面図である。図６は、支持部材３６０に設けられた集光レンズ３３０を示す底面図である。
【００２７】
図７は、治具４００の一例（４１０）を示す斜視図である。図８Ａは、図７に示す治具４１０による集光レンズ３３０の光軸方向Ｍにおける位置が最小調整位置にある調整状態を示す底面図である。図８Ｂは、図７に示す治具４１０による集光レンズ３３０の光軸方向Ｍにおける位置が最小調整位置と最大調整位置との間の位置にある調整状態を示す底面図である。図８Ｃは、図７に示す治具４１０による集光レンズ３３０の光軸方向Ｍにおける位置が最大調整位置にある調整状態を示す底面図である。
【００２８】
図９は、治具４００の他の例（４２０）を示す斜視図である。図１０Ａは、図９に示す治具４２０による集光レンズ３３０の光軸方向Ｍにおける位置が最小調整位置にある調整状態を示す底面図である。図１０Ｂは、図９に示す治具４２０による集光レンズ３３０の光軸方向Ｍにおける位置が最小調整位置と最大調整位置との間の位置にある調整状態を示す底面図である。図１０Ｃは、図９に示す治具４２０による集光レンズ３３０の光軸方向Ｍにおける位置が最大調整位置にある調整状態を示す底面図である。
【００２９】
また、図１１は、治具４００のさらに他の例（４３０）を示す斜視図である。図１２Ａは、図１１に示す治具４３０による集光レンズ３３０の光軸方向Ｍにおける位置が最小調整位置にある調整状態を示す底面図である。図１２Ｂは、図１１に示す治具４３０による集光レンズ３３０の光軸方向Ｍにおける位置が最小調整位置と最大調整位置との間の位置にある調整状態を示す底面図である。図１２Ｃは、図１１に示す治具４３０による集光レンズ３３０の光軸方向Ｍにおける位置が最大調整位置にある調整状態を示す底面図である。
【００３０】
なお、図８Ａから図８Ｃ、図１０Ａから図１０Ｃ、図１２Ａから図１２Ｃにおいて、治具４００は、治具穴３６２の一方側（左側）に挿通して集光レンズ３３０の位置を調整している例を示している。しかし、治具穴３６２の他方側（右側）に挿通して集光レンズ３３０の位置を同様に調整することができる。また、治具４００の回転方向は逆方向であってもよい。
【００３１】
支持部材３６０は、集光レンズ３３０を支持する。支持部材３６０には、集光レンズ３３０を光軸方向Ｍに移動可能に載置する載置部３６１（この例では開口）が設けられている。また、支持部材３６０には、載置部３６１の光軸方向Ｍにおける両端部において集光レンズ３３０の光軸方向Ｍにおける位置を調整するための穴、この例では治具穴３６２（具体的には貫通穴）が設けられている。治具穴３６２は、集光レンズ３３０の光軸方向Ｍにおける位置を調整するための治具４００（４１０〜４３０）を挿通する。そして、作業者は、治具４００を治具穴３６２に挿通して光軸方向Ｍに交差（直交）する方向に沿った軸線回りに回転させながら集光レンズ３３０の光軸方向Ｍにおける位置を調整する。
【００３２】
本実施の形態によれば、支持部材３６０に治具穴３６２が設けられているので、集光レンズ３３０の鏡筒３３１（図４及び図５参照）に集光レンズ３３０の光軸方向Ｍにおける位置を調整するための加工（具体的には鏡筒３３１の外周面の周方向における溝）を施す必要がない。しかも、集光レンズ３３０の位置調整のための加工として支持部材３６０に対して載置部３６１及び治具穴３６２を設けるだけで済む。従って、集光レンズ３３０の光軸方向Ｍにおける位置を調整するための構造を簡素化することができる。
【００３３】
そして、治具穴３６２に挿通された治具４００が集光レンズ３３０を光軸方向Ｍに押す。これにより、治具４００により集光レンズ３３０を支持部材３６０に対して光軸方向Ｍに確実に移動させることができる。詳しくは、治具４００が支持部材３６０の一方側（左側）の治具穴３６２に挿通された状態で集光レンズ３３０を他方側（右側）へ移動させることができる。また、治具４００が支持部材３６０の他方側（右側）の治具穴３６２に挿通された状態で集光レンズ３３０を一方側（左側）へ移動させることができる。従って、治具４００の調整によって集光レンズ３３０がどちらに移動するのかを分かり易くすることができる。
【００３４】
具体的には、集光レンズ３３０は、載置部３６１に載置されて保持部材３７０（図３から図５参照）に保持された状態で光軸方向Ｍに移動可能に支持部材３６０に支持されている。保持部材３７０は、集光レンズ３３０の鏡筒３３１に対して周方向に沿って巻き付けるバンドとされている。保持部材３７０の一端部３７１は支持部材３６０に係止されている（図３参照）。保持部材３７０の他端部３７２はビス等の固定部材ＳＣにより支持部材３６０に固定されている（図５参照）。集光レンズ３３０は、保持部材３７０により所定圧力で締め付けられている。所定圧力は、走査体３００単体の輸送時や、画像読取装置２００、画像形成装置１００の輸送時に集光レンズ３３０が動かない程度の圧力である。一方、所定圧力は、治具４００を用いて集光レンズ３３０の光軸方向Ｍに移動させることができる程度の圧力である。
【００３５】
本実施の形態において、載置部３６１は開口である。こうすることで、支持部材３６０の簡単な加工で済むので、支持部材３６０の位置精度の悪化を効果的に防止することができる。詳しくは、載置部３６１は、載置された集光レンズ３３０が支持部材３６０の裏側に所定量突き出る程度の開口である。また、載置部３６１の光軸方向Ｍに沿った縁部には、複数の突起３６１ａ（図８Ａ参照）が設けられている。突起３６１ａは、光軸方向Ｍ及び支持部材３６０の厚み方向Ｈの双方に直交する幅方向Ｗにおいて内側に突出している。これにより、集光レンズ３３０の厚み方向Ｈ及び幅方向Ｗにおける位置精度を向上させることができる。
【００３６】
本実施の形態において、載置部３６１の光軸方向Ｍにおける両端部の治具穴３６２，３６２は、支持部材３６０において幅方向Ｗにおける同一位置に設けられている。治具穴３６２は、支持部材３６０において載置部３６１の幅方向Ｗにおける中央部に設けられている。
【００３７】
本実施の形態において、治具穴３６２は、載置部３６１に連通している。こうすることで、支持部材３６０に対して載置部３６１及び治具穴３６２を容易に形成（穴開け加工）することができる。
【００３８】
ところで、治具４００により集光レンズ３３０を光軸方向Ｍへ移動させたときに、載置部３６１の光軸方向Ｍにおける長さ、集光レンズ３３０の光軸方向Ｍにおける長さ、治具穴３６２の光軸方向Ｍにおける距離によっては、治具４００による集光レンズ３３０の光軸方向Ｍへの移動量が制限されることがある。そうすると、集光レンズ３３０の調整範囲が狭くなる。
【００３９】
この点、画像読取装置２００では、図８Ａに示すように、載置部３６１の光軸方向Ｍにおける長さをＢ、集光レンズ３３０の光軸方向Ｍにおける長さをＣ、治具穴３６２の光軸方向Ｍにおける距離をＥとすると、
Ｅ＞（Ｂ−Ｃ）／２・・・  式（１）
式（１）の関係を満たす。
【００４０】
こうすることで、治具穴３６２の距離Ｅの下限値を（Ｂ−Ｃ）／２に特定することができる。これにより、治具４００による集光レンズ３３０の光軸方向Ｍへの移動量を大きくすることができる。従って、集光レンズ３３０の調整範囲を広くすることができる。
【００４１】
本実施の形態において、治具穴３６２は、半円形状である。こうすることで、治具４００を治具穴３６２に挿通して治具４００の先端を治具穴３６２の内周面に沿って円滑に摺動させることができる。従って、集光レンズ３３０の光軸方向Ｍにおける位置を確実に調整することができる。
【００４２】
ところで、治具４００及び治具穴３６２の構成によっては、治具４００による集光レンズ３３０の光軸方向Ｍへの移動量が大きくなり過ぎることがある。そうすると、治具４００により集光レンズ３３０を光軸方向Ｍへ移動させたときに、載置部３６１の治具４００とは反対側の端部に集光レンズ３３０が接触、さらには集光レンズ３３０が破損してしまうことがある。
【００４３】
この点、本実施の形態では、治具４００及び治具穴３６２は、治具４００が最大調整位置に位置するときでも集光レンズ３３０が載置部３６１の光軸方向Ｍにおける治具４００とは反対側に端部に当接しない構成とされている。詳しくは、載置部３６１の長さ、集光レンズ３３０の長さ、治具穴３６２の形状及び治具４００の形状は、治具４００が最大調整位置に位置するときでも集光レンズ３３０が載置部３６１の光軸方向Ｍにおける治具４００とは反対側に端部に当接しないように設定されている。こうすることで、治具４００により集光レンズ３３０を光軸方向Ｍに最大に移動させても、集光レンズ３３０の載置部３６１の治具４００とは反対側の端部への接触を回避することができる。さらには集光レンズ３３０の破損を回避することができる。
【００４４】
例えば、図８Ａに示すように、治具４００による集光レンズ３３０の光軸方向Ｍにおける移動量をＦとすると、
Ｆ＜（Ｂ−Ｃ）／２  ・・・  式（２）
式（２）の関係を満たすことが好ましい。すなわち、載置部３６１と集光レンズ３３０との両側の隙間をＤ１，Ｄ２とすると、Ｆ＜Ｄ１、Ｆ＜Ｄ２となる。こうすることで、載置部３６１の光軸方向Ｍにおける両側の治具穴３６２，３６２において集光レンズ３３０の載置部３６１の治具４００とは反対側の端部への接触を回避することができる。
【００４５】
本実施の形態において、治具４００は、治具本体４００ａ（持ち手棒）と、当接部４０１と、挿通部４０２とを備えている。当接部４０１は、治具本体４００ａに設けられている。当接部４０１は、集光レンズ３３０と当接する。挿通部４０２は、当接部４０１に設けられている。挿通部４０２は、治具穴３６２に挿通される。こうすることで、挿通部４０２を治具穴３６２に挿通しながら治具４００を円滑に回転させることができる。このとき、当接部４０１を集光レンズ３３０に当接させながら集光レンズ３３０を光軸方向Ｍに確実に移動させることができる。これにより、集光レンズ３３０の光軸方向Ｍにおける位置を確実に調整することができる。詳しくは、当接部４０１は、治具本体４００ａの先端に設けられている。挿通部４０２は、当接部４０１の先端に設けられている。治具本体４００ａ、当接部４０１及び挿通部４０２は一体形成されている。
【００４６】
（第１実施形態）
第１実施形態において、図７及び図８Ａから図８Ｃに示すように、治具４１０は、治具本体４００ａに対して挿通部４０２が偏芯している。また、治具本体４００ａの回転中心αと当接部４０１の中心βとが一致している。こうすることで、治具４１０を治具穴３６２に挿通して回転させると、挿通部４０２が治具穴３６２に摺接しながら治具本体４００ａの回転中心αが光軸方向Ｍに移動する。そうすると、当接部４０１が集光レンズ３３０と摺接しながら集光レンズ３３０を光軸方向Ｍに押す。これにより、集光レンズ３３０の移動量を微小に調整することができる。また、集光レンズ３３０の光軸方向Ｍへの移動量を治具本体４００ａに対して偏芯する挿通部４０２の形状及び治具穴３６２の形状により変更することができる。また、挿通部４０２の形状が集光レンズ３３０の光軸方向Ｍへの移動量に関与することから、それだけ挿通部４０２のサイズを大きくすることができる。従って、挿通部４０２の強度を向上させることができる。挿通部４０２の形状は、治具本体４００ａに対して偏芯する形状（カム形状）であれば、何れの形状であってもよい。挿通部４０２の形状としては、例えば、四角柱形状、楕円柱形状、半円柱形状を挙げることができる。この例では、挿通部４０２は、半円柱形状とされている。当接部４０１の形状としては、例えば、円柱形状、円錐形状を挙げることができる。この例では、当接部４０１は、円柱形状とされている。
【００４７】
（第２実施形態）
第２実施形態において、図９及び図１０Ａから図１０Ｃに示すように、治具４２０は治具本体４００ａに対して当接部４０１が偏芯している。また、治具本体４００ａの回転中心αと挿通部４０２の中心γとが一致している。こうすることで、治具４２０を治具穴３６２に挿通して回転させると、治具本体４００ａの回転中心αから当接部４０１の集光レンズ３３０との当接位置までの距離が大きくなる。そうすると、当接部４０１が集光レンズ３３０と摺接しながら集光レンズ３３０を光軸方向Ｍに押す。これにより、集光レンズ３３０の移動量を微小に調整することができる。また、集光レンズ３３０の光軸方向Ｍへの移動量を治具本体４００ａに対して偏芯する当接部４０１の形状及び治具穴３６２の形状により変更することができる。当接部４０１の形状は、治具本体４００ａに対して偏芯する形状（カム形状）であれば、何れの形状であってもよい。当接部４０１の形状としては、例えば、四角柱形状、楕円柱形状、半円柱形状を挙げることができる。この例では、当接部４０１は、円柱形状とされている。挿通部４０２の形状としては、例えば、円柱形状、円錐形状を挙げることができる。この例では、挿通部４０２は、円柱形状とされている。
【００４８】
（第３実施形態）
第３実施形態では、図１１及び図１２Ａから図１２Ｃに示すように、治具４００は、治具本体４００ａに対して当接部４０１及び挿通部４０２の双方が偏芯している。こうすることで、治具４３０を治具穴３６２に挿通して回転させると、挿通部４０２が治具穴３６２に摺接しながら治具本体４００ａの回転中心αが光軸方向Ｍに移動する。また、治具本体４００ａの回転中心αから当接部４０１の集光レンズ３３０との当接位置までの距離が大きくなる。そうすると、当接部が集光レンズ３３０と摺接しながら集光レンズ３３０を光軸方向Ｍに押す。これにより、集光レンズ３３０の移動量を微小に調整することができる。また、集光レンズ３３０を光軸方向Ｍへの移動量を治具本体４００ａに対して偏芯する当接部４０１及び挿通部４０２の形状並びに治具穴３６２の形状により変更することができる。
【００４９】
（第１実施形態から第３実施形態）
第１実施形態から第３実施形態では、治具４００（４１０〜４３０）及び治具穴３６２は、集光レンズ３３０を載置部３６１の光軸方向Ｍにおける中央に位置させたときに、挿通部４０２を治具穴３６２に挿通して当接部４０１を集光レンズ３３０に当接させた状態で治具４００（４１０〜４３０）が最小調整位置に位置する構成とされている。こうすることで、載置部３６１の光軸方向Ｍにおける一方側（左側）と他方側（右側）とで治具４００の調整量を均等にすることができる。
【００５０】
また、第１実施形態から第３実施形態では、画像読取装置２００は、集光レンズ３３０及び支持部材３６０が設けられる筐体３５０（図２及び図３参照）をさらに備えている。そして、筐体３５０の外側から集光レンズ３３０の光軸方向Ｍにおける位置を調整する。こうすることで、筐体３５０の蓋３５１（図２参照）を開放することなく、集光レンズ３３０の光軸方向Ｍにおける位置を調整することができる。従って、集光レンズ３３０の位置調整の作業性を向上させることができる。
【００５１】
（その他の実施の形態）
なお、第１実施形態から第３実施形態では、治具穴３６２の形状及びサイズが載置部３６１の光軸方向Ｍにおける両端部で同じである。しかし、治具穴３６２の形状及びサイズは、載置部３６１の光軸方向Ｍにおける両端部で異なっていてもよい。また、治具穴３６２は、載置部３６１の光軸方向Ｍにおける両端部で異なっていてもよい。また、治具４００は、載置部３６１の光軸方向Ｍにおける両端部の治具穴３６２で同じものを用いるが、異なるものを用いてもよい。
【００５２】
また、第１実施形態から第３実施形態では、治具穴３６２は、載置部３６１に連通しているが、支持部材３６０に治具穴３６２を載置部３６１とは独立して設けてもよい。また、治具穴３６２は、半円形状であるが、半楕円形状、円形状や楕円形状であってもよい。治具穴３６２は、貫通穴であるが、有底穴であってもよい。また、載置部３６１は、開口であるが、凹部であってもよい。
【００５３】
また、第１実施形態から第３実施形態では、光源部３１０、複数のミラー３２０、集光レンズ３３０及び縮小型イメージセンサ３４０を走査体３００内に一体的に設ける構成としている。しかし、例えば、第１走査体に光源部及びミラーを設け、第２走査体にミラーを設け、画像読取装置の筐体に集光レンズ及び縮小型イメージセンサを設ける構成に適用してもよい。また、レンズを集光レンズとしたが、他のレンズであってもよい。
【００５４】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００５５】
１００  画像形成装置
２００  画像読取装置
３００  走査体
３３０  集光レンズ（レンズの一例）
３３１  鏡筒
３４０  縮小型イメージセンサ
３５０  筐体
３６０  支持部材
３６１  載置部
３６２  治具穴
４００  治具
４０１  当接部
４０２  挿通部
４１０  治具
４２０  治具
４３０  治具
Ｍ      光軸方向
【図１】
2019110488.tif 000003
【図２】
2019110488.tif 000004
【図３】
2019110488.tif 000005
【図４】
2019110488.tif 000006
【図５】
2019110488.tif 000007
【図６】
2019110488.tif 000008
【図７】
2019110488.tif 000009
【図８Ａ】
2019110488.tif 000010
【図８Ｂ】
2019110488.tif 000011
【図８Ｃ】
2019110488.tif 000012
【図９】
2019110488.tif 000013
【図１０Ａ】
2019110488.tif 000014
【図１０Ｂ】
2019110488.tif 000015
【図１０Ｃ】
2019110488.tif 000016
【図１１】
2019110488.tif 000017
【図１２Ａ】
2019110488.tif 000018
【図１２Ｂ】
2019110488.tif 000019
【図１２Ｃ】
2019110488.tif 000020